(57)【要約】      （修正有）【課題】目覚まし時計や携帯電話のアラーム音に気が付かず寝過ごすということのない、携帯電話を収納するポケットを具備したパンツを提供する。【解決手段】パンツにおいて、人間が一番敏感に感じるウエスト中央の下腹部の位置に、薄くて耐久性、伸縮性、癒着性のある素材で作った、市販の携帯電話を収納するポケットを設けることにより、ここに収納された携帯電話のバイブレーション機能によって、目を覚ますようにして問題を解決したものである。【選択図】図１
0003145016.tif 000002
【実用新案登録請求の範囲】
【請求項１】
パンツのウエスト中央の下腹部の位置に、薄くて耐久性、伸縮性、癒着性のある素材でつくた市販の携帯電話を収納するポケットを設けたことを特徴とする携帯電話を収納するポケットを具備したパンツ。
【請求項２】
請求項1において、パンツのポケットは、ポケット全体に対して入口を少し狭くしたり、紐や圧着クテープ等で入口を固覆し、収納する携帯竜話をずれ落ちないようにしたことを特徴とする携帯電話を収納するポケットを具備したパンツ。
【請求項３】
請求項1において、携帯電話を収納するポケットはパンツの表部、裏部それぞれに設けたことを特徴とする携帯電話を収納するポケットを具備したパンツ。
【請求項４】
請求項1において、携帯電話を収納するポケットが設けられるパンツはパンツであることを特徴とする携帯電話を収納するポケットを具備したパンツ。                    
【考案の詳細な説明】
【技術分野】
【０００１】
本考案は、携帯電話を収納するポケットを設けたパンツに関するもので、パンツのウエスト中央の下腹部の位置に市販の携帯電話を収納するポケットを設け、ここに収納された携帯電話のバイブレーション機能によって、目を覚ますようにしたものである。
【背景技術】
【０００２】
早朝や指定時間に起きる場合、目覚まし時計や携帯電話に気象時間をセットしておきそのアラーム音で起きるようにする方法が広く行われている。
しかし、熟睡している場合などには、目覚まし時計や携帯電話のアラーム音に気が付かず寝過ごして、重要な仕事や受験などの指定時間に間に合わなく遅刻して失敗することがある。
このような事態を防止するために、枕の中に目覚まし用の振動部材をとりつけた振動による目覚まし枕等が提案されている。
【０００３】
【特許文献１】特開２００３−２９００１４号公報，
【特許文献２】特開２００1−321259号公報，
【特許文献３】特開２００5−279298号公報，
【考案の開示】
【考案が解決しようとする課題】
【０００４】
しかしながら、振動による目覚まし枕等は、次のような問題点があった。
（1）枕の中に振動部材をとりつけるため構造が複雑で製作に手間がかかる。
（2）枕であるため限定された場所でしか使えず、携帯する場合にも大きな荷物となってしまう。
（3）枕が個人それぞれのサイズに合わない。
（4）生産コストがかかり、製品価格が高価になってしまう。
本考案は、これらの問題点を解決するためになされたものである。
【課題を解決するための手段】
【０００５】
本考案は、パンツのバイブレーション（振動）を人間が一番敏感に感じるウエスト中央の下腹部の位置に、薄くて耐久性、伸縮性、癒着性のある素材でつくた市販の携帯電話を収納するポケットを設けた携帯電話を収納するポケットを具備したパンツを実現することにより、ポケットの携帯電話のバイブレーション機能によって、目を覚ますようにしたもので、構造が簡単で安価に製作することが出来、使用場所の制約の無い目覚ましを可能にしたものである。
【考案の効果】
【０００６】
本考案は、人間が一番敏感に感じるウエスト中央の下腹部の位置に、バイブレーション機能を付けられるようにしたために、バイブレーション（振動）の触覚を、一番敏感に感じる人間の下腹部で感じることにより、音での目覚める以上に、目が覚めるという効果があり、寝坊を確実に防止することが出来る。
【０００７】
さらに、振動による触覚での目覚まし構造なので、音がうるさい場所でも活用でき、且つ、従来のアラエム音が使えない図書舘などの静かな揚所でも他人に迷惑をかけずに活用できる。
又、普が聞こえにくい電車内においても、振動による触覚での目覚まし（お知らせ）構造なので、予め決まった指定駅の到着時刻に乗り過ごし防止に活用できる。
【考案を実施するための最良の形態】
【０００８】
以下に、本考案の携帯電話を収納するポケットを具備したパンツの実施例について説明する。
図1は、本考案を実施したパンツの斜視図、図2は図1のa-a線断面図である。
図1及び図2において、
Cは通常のパンツである。DはパンツCは携帯電話を収納する表部ポケット、Eは携帯電話を収納する裏部ポケットである。Aは表部ポケットCの携帯電話を収納する入口、Bは裏部ポケットEの入口である。Fはポケットに収納される携帯電話である。Gはパンツのウエストゴム部である。Hはポケット入ロ紐である。Iは圧着テープである
【０００９】
図1の本考案を実施したパンツCは、ウエストゴム部Gを持ったに通常の形態のパンツである。
パンツCのウエスト中央の下腹部の表の位置に、携帯電話を収納する表部ポケットDが設けられている。Aは表部ポケットDの携帯電話を収容する入口である。
表部ポケットDは、薄くて耐久性、伸縮性、癒着性のある素材でつくられている。
携帯電話を収納するポケットは図2に示すように、パンツCのウエスト中央の下腹部の裏の位置に裏部ポケットEを設けることも出来る。
【００１０】
携帯電話を収納するポケットを設ける位置は、図2に示すようにパンツの表側D、裏側Eどちらも可能。効果はどちらも変わらない。
ポケットD、Eの素材は薄くて耐久性、伸縮性、密着性のあるもので作成し、携帯電話Fを入れてもずれ落ちない様にフィットさせる為にポケット入ロA、Bを少し狭くし巾着状にしたポケットを作る。
【００１１】
パンツCのウエスト中央の下腹部の位置に、薄くて耐久性、癒着性、伸縮性のある素材で出来た表部ポケットD（又は裏部ポケットE
）のポケットを付け、ポケット入ロA（B）には上記の構造の他に、ポケット入ロが容易に開かない為にポケット入ロ紐Hや圧着テープIなどでポケットロを閉める素材を付けて、携帯電話を落ちないようにする構造とすることも可能である。
【００１２】
本考案は、上述のように人間が一番敏感に感じるウエスト中央の下腹部の位置に、パンツのバイブレーション（振動）機能を設けるようにしたために、触覚による携帯のバイブレーション（振動）で、一番敏感に感じる人間の下腹部で感じることにより、音での目覚め以上に敏感に、目が覚めるという効果があり、寝坊を確実に防止することが出来る。
【００１３】
さらに、振動による触覚での目覚まし構造なので、音がうるさい場所でも活用でき、尚且つ、逆に従来のアラエム音が使えない図書舘などの静かな揚所でも他人に迷惑をかけずに活用できる。
普が聞こえにくい電車内においても、振動による触覚での目覚まし（お知らせ）構造なので、予め決まった指定駅の到着時刻に乗り過ごし防止に活用できる。
【００１４】
昨今、問題になっている過労運転防止等にも活用できる。何故なら過労運転というのは、休憩すると予定時間に寝過ごす心配があるので、そのまま運転してしまうのであり、確実に予定時間に目覚めることが出来れば確実に休憩し過労運転を防止することが可能になるからである。
本考案は、今までの音での目覚まし構造とは違い、より敏感に目覚める構造なので安心してしっかり休憩がとれるから仕事のハカドリや過労運転による交通事故での運輸面の損失軽減にも効果がある。
【産業上の利用可能性】
【００１５】
本考案は、被服産業で利用可能である。
【図面の簡単な説明】
【００１６】
【図１】本考案の携帯電話を収納するポケットを具備したパンツを実施したパンツの斜視図である。
【図２】図1におけるa-a線断面図である。
【符号の説明】
【００１７】
A・・・表部ポケット入口
B・・・裏部ポケット入口
C・・・パンツ
D・・・ 表部携帯電話収納ポケット  
E・・・裏部携帯竜話収納ポケット
F・・・携帯電話
G・・・ウエストゴム部
H・・・ポケットロ紐
I・・・圧着テープ
【図１】
0003145016.tif 000003
【図２】
0003145016.tif 000004
【手続補正書】
【提出日】平成20年7月10日(2008.7.10)
【手続補正１】
【補正対象書類名】実用新案登録請求の範囲
【補正対象項目名】全文
【補正方法】変更
【補正の内容】
【実用新案登録請求の範囲】
【請求項１】
下着のウエスト中央の下腹部の位置に、薄くて耐久性、伸縮性、癒着性のある素材でつくった市販の携帯電話を収納するポケットを設けたことを特徴とする携帯電話を収納するポケットを具備したパンツ。
【請求項２】
請求項1において、パンツのポケットは、ポケット全体に対して入口を少し狭くしたり、紐や圧着テープ等で入口を固覆し、収納する携帯電話をずれ落ちないようにしたことを特徴とする携帯電話を収納するポケットを具備したパンツ。
【請求項３】
請求項1において、携帯電話を収納するポケットはパンツの表部に設けたことを特徴とする携帯電話を収納するポケットを具備したパンツ。
【請求項４】
請求項1において、携帯電話を収納するポケットはパンツの裏部に設けたことを特徴とする携帯電話を収納するポケットを具備したパンツ。